(57)【特許請求の範囲】
【請求項１】
足場の建地材と横架材とによって形成される足場の門形枠内の出入り用開口部に設置される足場用簡易扉装置であって、
片開き扉を構成する扉本体と、この扉本体を支持する枠体とからなり、
前記枠体は、前記扉本体の上辺部と対向する上枠部と、前記扉本体の左右両側辺部と対向する左右の側枠部とを有し、一方の側枠部が支持部材を介して前記扉本体の一側辺部を回動自在に支持し、
前記枠体の上枠部には、前記横架材によって前記上枠部を吊り下げるための左右一対のフック部が設けられ、
前記枠体の両側枠部には、側枠部の中間部又は下部を前記建地材に連結するためのアーム部が所定位置に取付けられており、
該アーム部は、前記建地材に向けて長さ調整自在に延びるとともに先端部に前記建地材を把持する把持金具を有し、
前記フック部及びアーム部は、前記横架材及び建地から間隔を隔てた位置に前記枠体及び前記扉本体を吊り下げ支持し、これにより、前記側枠部の下端及び前記扉本体の下辺部の下方に開放空間を形成するように該下端及び下辺部を前記建地材の下端よりも上方の位置に支持することを特徴とする足場用簡易扉装置。
【請求項２】
足場の建地材と横架材とによって形成される足場の門形枠内の出入り用開口部に設置される足場用簡易扉装置であって、
片開き扉を構成する扉本体と、この扉本体を支持する枠体とからなり、
前記枠体は、前記扉本体の上辺部と対向する上枠部と、前記扉本体の左右両側辺部と対向する左右の側枠部とを有し、一方の側枠部が支持部材を介して前記扉本体の一側辺部を回動自在に支持し、
前記枠体の上枠部には、前記横架材によって前記上枠部を吊り下げるための左右一対のフック部が設けられ、
前記枠体の両側枠部には、側枠部の中間部又は下部を前記建地材に連結するためのアーム部が所定位置に取付けられ、前記アーム部の基端部は、該アーム部を上下方向に揺動せしめるように前記側枠部に軸支されており、
前記建地材を把持するための把持金具が前記アーム部の先端部に取付けられ、該把持金具は、前記アーム部が上下方向に揺動したときにも前記建地材を把持し得るように前記アーム部の先端部に回転可能に軸支されており、
前記フック部及びアーム部は、前記横架材及び建地から間隔を隔てた位置に前記枠体及び前記扉本体を吊り下げ支持し、これにより、前記側枠部の下端及び前記扉本体の下辺部の下方に開放空間を形成するように該下端及び下辺部を前記建地材の下端よりも上方の位置に支持することを特徴とする足場用簡易扉装置。
【請求項３】
前記扉本体は、支持部材を介して支持される扉本体の一側辺部と反対側の他側辺部に、閉扉状態を維持するロック機構が設けられている、
請求項１もしくは２記載の足場用簡易扉装置。
【請求項４】
前記扉本体は、扉面が格子状もしくは網目状を成す、
請求項１もしくは２記載の足場用簡易扉装置。
【請求項５】
前記フック部は、上枠部の左右両端部に設けられ、前記横架材に掛止め固定するための固定部材を有する、
請求項１もしくは２記載の足場用簡易扉装置。
【請求項６】
前記固定部材が、フック部本体に形成された孔部と、この孔部に螺入されて先端を横架材外周に押し当てる止めボルトとから成る、
請求項５記載の足場用簡易扉装置。
【請求項７】
前記アーム部は、左右両側枠部の下部にほぼ水平方向に延びるように配設されている、
請求項１記載の足場用簡易扉装置。
【請求項８】
前記アーム部は、左右両側枠部のほぼ中間部に斜め下方に向けて延びるように配設されている、
請求項１記載の足場用簡易扉装置。
【請求項９】
前記アーム部は、基端部を側枠部に固定された筒体と、この筒体内に挿入され、かつ筒体から突出した先端部に上記把持金具を有する摺動体と、摺動体の突出長さを調整する調整部材とから成る、
請求項１、７、８のいずれかに記載の足場用簡易扉装置。
【発明の詳細な説明】
【０００１】
【発明の属する技術分野】
本発明は、建築現場の単管足場や枠組足場において作業者が出入りする開口部に取付けられる簡易扉装置に関するものである。
【０００２】
【従来の技術】
建築現場に設けられる単管足場や枠組足場では、作業者は足場側面の建地材と横架材とによって囲まれた開口部から出入りする。この開口部は、一般に、開放されていることが多い。関係者以外の立ち入りを禁止すべく、まれに、この開口部に綱や杆材が掛け渡される。
【０００３】
【発明が解決しようとする課題】
近年の犯罪増加傾向を考慮すると、足場出入口を開放しておくことは、安全上だけでなく防犯上も好ましくない。何らかの規制が必要である。この点、上記した綱や杆材を掛け渡す規制手段の場合、第三者への心理的な抑止力が弱い。
心理的抑止力の強い扉を設置する方法も考えられるが、扉の構造いかんでは、足場の仮設機能を損なう。例えば、本格的な扉を枠組足場に設置すると、扉本体や取付け部材の品質や素材などが足場を構成するパイプ材とつり合わず、取扱いも煩雑となるばかりでなく、トータルコスト高となる。
【０００４】
本発明の目的は、侵入者に心理的抑制力の強い扉構造でありながら、組立てや取り付けなどの取扱い作業が容易で、製作コストも低く抑えることのできる、簡易扉装置を提供することにある。
【０００５】
【課題を解決するための手段】
上記目的を達成すべく、本発明は、足場の建地材と横架材とによって形成される足場の門形枠内の出入り用開口部に設置される足場用簡易扉装置であって、
片開き扉を構成する扉本体と、この扉本体を支持する枠体とからなり、
前記枠体は、前記扉本体の上辺部と対向する上枠部と、前記扉本体の左右両側辺部と対向する左右の側枠部とを有し、一方の側枠部が支持部材を介して前記扉本体の一側辺部を回動自在に支持し、
前記枠体の上枠部には、前記横架材によって前記上枠部を吊り下げるための左右一対のフック部が設けられ、
前記枠体の両側枠部には、側枠部の中間部又は下部を前記建地材に連結するためのアーム部が所定位置に取付けられており、
該アーム部は、前記建地材に向けて長さ調整自在に延びるとともに先端部に前記建地材を把持する把持金具を有し、
前記フック部及びアーム部は、前記横架材及び建地から間隔を隔てた位置に前記枠体及び前記扉本体を吊り下げ支持し、これにより、前記側枠部の下端及び前記扉本体の下辺部の下方に開放空間を形成するように該下端及び下辺部を前記建地材の下端よりも上方の位置に支持することを特徴とする足場用簡易扉装置を提供する。
本発明は又、足場の建地材と横架材とによって形成される足場の門形枠内の出入り用開口部に設置される足場用簡易扉装置であって、
片開き扉を構成する扉本体と、この扉本体を支持する枠体とからなり、
前記枠体は、前記扉本体の上辺部と対向する上枠部と、前記扉本体の左右両側辺部と対向する左右の側枠部とを有し、一方の側枠部が支持部材を介して前記扉本体の一側辺部を回動自在に支持し、
前記枠体の上枠部には、前記横架材によって前記上枠部を吊り下げるための左右一対のフック部が設けられ、
前記枠体の両側枠部には、側枠部の中間部又は下部を前記建地材に連結するためのアーム部が所定位置に取付けられ、前記アーム部の基端部は、該アーム部を上下方向に揺動せしめるように前記側枠部に軸支されており、
前記建地材を把持するための把持金具が前記アーム部の先端部に取付けられ、該把持金具は、前記アーム部が上下方向に揺動したときにも前記建地材を把持し得るように前記アーム部の先端部に回転可能に軸支されており、
前記フック部及びアーム部は、前記横架材及び建地から間隔を隔てた位置に前記枠体及び前記扉本体を吊り下げ支持し、これにより、前記側枠部の下端及び前記扉本体の下辺部の下方に開放空間を形成するように該下端及び下辺部を前記建地材の下端よりも上方の位置に支持することを特徴とする足場用簡易扉装置を提供する。
【０００６】
扉本体は、支持部材を介して支持される一側辺部と反対側の他側辺部に、閉扉状態を維持するロック機構を設けるのが望ましい。ロック機構は、扉本体の側辺部とこれに対向する枠体側枠部とを利用することにより、種々の係合構造のロック機構を採用できる。また、扉面は、板面でなく、格子状もしくは網目状を成す構造のものを採用するのが良い。
【０００７】
フック部は、扉を足場構成材である横架材に吊下げ支持させるためのもので、上枠部の左右両端部に設け、横架材に掛け止め固定するための固定部材を有するものが望ましい。フック部は、横架材の径よりも大きな曲率の掛止め用湾曲部を持つものが良く、固定部材によって横架材にしっかりと固定される。固定部材による固定の例としては、フック部本体、特に掛止め用湾曲部に孔部を形成し、この孔部に止めボルトを螺入し、止めボルト先端を横架材外周面に押しつける。
【０００８】
アーム部は、扉を足場構成材である建地材に支持させるためのもので、左右両側枠部の長さ方向任意の位置に設けられる。望ましくは、下部もしくは中間部に配設される。アーム部は、下部に設けられる場合、ほぼ水平方向に延び、中間部に設けられる場合、斜め下方に向けて延びる。
【０００９】
また、アーム部は、具体的には例えば、基端部を側枠部に固定された筒体と、この筒体内に挿入され、かつ筒体から突出した先端部に上記把持金具を有する摺動体と、摺動体の突出長さを調整する調整部材とから成る。把持金具としては、例えばクランプ金具が用いられる。筒体に挿入される摺動体は、内筒であってもムクの棒材であっても良い。
更に、アーム部は、基端部を側枠部に揺動自在に軸支する一方、先端に建地材１を把持する把持金具を回動自在に固定した構成にすることもできる。
【００１０】
【発明の実施の形態】
以下、本発明を図示した実施例に基づいて詳説する。
図１は、本発明の一実施例に係る扉装置の正面図である。
図中符号１（１Ｌ，１Ｒ）は、足場を構成する門型建枠の左右の建地材、２は両建地材１の上端に横架された横架材である。これらの左右の建地材１と横架材２とによって形成される開口部３に本扉装置が組み付けられる。
【００１１】
扉装置は、扉本体４と、この扉本体４を支持するととともに扉を上記開口部３に取付けるための枠体５とを有する。
扉本体４は、開口部３を人間が通過不能な程度に塞ぐに十分な面積を有する。
扉本体４の外形を規定する上下辺部４１，４２及び左右両側辺部４３，４４は、Ｌ字状のアングル材によって形成され、これら４辺部によって囲まれた内側には、面材でなく、帯板材が格子状に配設されている。中心に十字状に延びる骨組み材を組み付け、全体にワイヤネットを張設するようにしても良い。
【００１２】
枠体５は、扉本体４の両側と上部を囲むようにして配置された左右両側枠部５２，５３と上枠部５１とから成る。図中右側枠部５３は、閉鎖側の側枠部で、上下適所においてヒンジ部材６を介して扉本体４を回動自在に支持している。ヒンジ部材６は、右側枠部５３にポケット状の収納部６１を設ける一方、扉本体４の右側辺部４４にアングル棒６２を固着し、アングル棒６２を収納部６１に着脱自在に挿入することによって構成される。左側枠部５２は、長さ方向中央部内面に、後述するロック機構９のロック片９１を受け入れる係合溝９２を有する（図６参照）。
【００１３】
枠体５の上枠部５１には、左右両端部近傍位置に、帯板材から成るフック部材７の下端が固定されている。フック部材７は、図２に見られるように、上部に、足場横架材２に掛止めするに必要な曲率の逆Ｕ字状に屈曲された湾曲部７１を有する。足場の横架材２には、種々の径のものがある（例えば単管足場では外径48.6mm、建枠足場では42.7mmのものがある）。したがって、湾曲部７１の曲率は、種々の横架材２に対応できるよう大外径の横架材に掛止め可能な径に設定される。
【００１４】
湾曲部７１には、板面にネジ孔７２が形成されている。ネジ孔７２には、止めボルト７３が螺入される。止めボルト７３は、横架材２に掛止めされた湾曲部７１の内面と横架材２の外面との間に生じる隙間を通って、先端が横架材外周面に当接され、フック部材７ががたついたり移動したりするのを防止する。
【００１５】
フック部材７の配置数は、２つに限定されるものではなく、３つ以上に増やすこともできる。あるいは幅広のものであれば、上枠部中央に単数設けても良い。
また、湾曲部７１のねじ孔７２にはめねじを切ることなく、単なる通孔としても良い。通孔の場合、止めボルト７３への止めナット７４のねじ込み移動によって湾曲部を撓ませ、これによって発生する弾性力を利用して横架材２にフック部材７を固定する構成にすることもできる。
【００１６】
左右側枠部５２，５３の下端には、足場の建地材１に向けてほぼ水平方向に延びるアーム部材８が取付けられている。アーム部材８は、図３に示すように、外筒体８１の基端部を側枠部５２，５３に固着されている。外筒体内には、パイプから成る摺動体８２が摺動自在に嵌挿されている。摺動体８２の先端には、建地材１を把持するクランプ金具８３が固定されている。
【００１７】
摺動体８２は、摺動することによって外筒体内からの突出長さを調整でき、任意の位置で固定される。図中符号８４は摺動体８２に形成した長孔、８５は外筒体８１に形成したボルト通孔である。長孔８４を貫通して通孔８５に挿通された固定ボルト８６をナット締めすることにより、長孔８４の長さ内で摺動体８２の突出長さが調整される。外筒体８１に形成されるボルト通孔８５を単数でなく、複数設けることにより、摺動体８２の突出長さを複数段階で調整可能となる。
【００１８】
クランプ金具８３には、足場用管材を接合するときに用いる一般的な締め付け金具が適用される。
摺動体先端に固定される把持金具としては、クランプ金具に限られるものではなく、例えば板材と締付け材とを用いて建地材１を把持するその他の把持金具を用いることもできる。
【００１９】
図中符号９は、扉本体４の左側辺部４３（開放側の側辺部）の長さ方向略中央に取付けたロック機構である。このロック機構９は、取手を兼ねる。
ロック機構９は、図５及び図６に示すように、ロック片９１が前記した左側枠部５２の係合溝９２に侵入あるいは退避することで、扉のロックと解除を行う。ロック片９１には、表裏面に、コ字状をした取手９３，９４が取付けられている。表側の取手９３は、Ｌ型アングル材から成る左側辺部４３の正面壁に設けたスライド孔９５に挿通され、左側辺部裏側に配置された起立するロック片９１を支持する。左側辺部４３の側面壁には、ロック片９１の係合端部を受ける受け溝９６が形成されている。
【００２０】
図７はロック機構９０の他の実施例を示す。
この例では、ロック片９０１は、水平移動でなく、略９０度回動されて係合溝９０２に侵入しあるいは同溝９０２から退避する。取手９０３の移動操作を行わせるスライド孔９０５は、図に見られるように略１／４円弧状に形成されている。係合溝９０２と受け溝も、ロック片９０１の回動に対応した位置と大きさに形成される。
【００２１】
図中符号１０は、扉本体４の左側辺部４３に取付けたストッパ片で、扉本体４の開度を、扉本体４の左側辺部４３と枠体５の左側枠部５２とが面一になる位置に規制する。
【００２２】
上記した扉装置の取付けについて説明する。
枠体５の収納部６１にアングル棒６２を挿入して、扉本体４を枠体５に開閉自在に取付ける。枠体５のフック部材７を開口部３の横架材２に掛け、止めボルト７３を締付けて固定する。枠体５の側枠部５２，５３と建地材１との間隔に基づいて、アーム部材８の摺動体８２の突出長さを調整した後、所定の位置で固定ボルト８６をナット締めし、クランプ金具によって建地材１を把持する。クランプ金具８３による建地材１の把持固定後、摺動体８２を所定の長さ位置で固定するようにしても良い。
【００２３】
これにより、扉は、上部がフック部７によって横架材２に支持固定され、両側下部がアーム部材８によって支持固定される。扉本体４は、ストッパ片１０によって回動規制されるので、表裏面方向の一方向にのみ開閉自在となる。取手９３をスライド孔９５に沿ってスライド（水平移動もしくは回動）させると、ロック片９１が係合溝９２に嵌まり込み、閉状態が維持される。また、開口部３の幅に併せてアーム部材８の長さ調整を行うことにより、建地材間の種々の間隔に対応できる。
【００２４】
図８と図９は、本発明の別の実施例に係る装置の正面図と同装置の異なる使用状態を示す正面図である。
本実施例に係る装置は、建地間の間隔、すなわち開口部幅が広狭異なる場合、特に枠体５の側枠部５２，５３と建地材１との間の距離が極端に短い場合（図９参照）に対しても有効に取付け可能な装置である。
【００２５】
図１に示す装置では、アーム部材は、基端部を側枠部に固定され、側枠部から水平方向に延びていた。本装置では、アーム部材８０は、基端部を側枠部５２，５３に回動自在になるように支持させてある。具体的には図１０の平面図と図１１の使用状態を示す説明図に見られるように、アーム部材８０は、後部に、平断面略Ｕ字状に屈曲されたブラケット部８０１を有する。ブラケット部８０１は、開放端部の両側壁によって側枠部５２，５３を挟持し、側枠部５２，５３を貫通して挿通されたボルト８０２を軸として回動する。ブラケット部８０１の側壁から突出したボルト先端には、ブラケット部８０１を適宜の回動位置に固定するためのナット８０３が螺着されている。
【００２６】
ブラケット部８０１の先端面には、クランプ金具８０４の取付け板８０５が突設されている。取付け板８０５の先端には、クランプ金具８０４が回動自在に軸支されている。
なお、図中符号８０６はブラケット部８０１の一側壁に螺入した蝶ネジ、８０７は左右両側枠の所定位置に形成した突片である。突片８０７は、蝶ネジ８０６の先端を螺入可能なネジ孔８０８を有する。
【００２７】
アーム部材の使用状態について説明する。
図８では、アーム部材全体が水平方向に延びるようにブラケット部８０１を水平位置でナット締めしてある。この状態は、アーム部材８０の基端と先端までの水平方向距離が最大になる。
【００２８】
図９の場合、側枠部５２，５３と建地材１間の間隔は図１の間隔よりも極端に狭い。この開口部幅の場合、アーム部材８０のブラケット部８０１を斜め下方に揺動させることにより、上記水平方向距離を側枠部と建地材１間の間隔に合わせる。ブラケット部８０１は、この揺動位置でナット締めすることにより、固定される。蝶ネジ８０６の先端が突片８０７のネジ孔８０８に一致するので、蝶ネジ８０６を締付けることにより、アーム部材８０は、急傾斜した支持状態でありながら、強固に固定される。
ブラケット部８０１を上方あるいは下方に揺動させても、先端のクランプ金具８０４は取付け板８０５に枢支されているので、図１１に見られるように常に適正は姿勢で建地材１を把持する。
【００２９】
【発明の効果】
本発明によれば、次の効果を奏する。
本発明装置は、扉体とこれを開閉自在に支持する枠体とから成り、枠体上部のフック部を足場構成部材である横架材に掛止めし、枠体両側のアーム部先端の把持金具によって建地材を把持するので、足場の開口部に上部と左右両側を確実に支持固定でき、組み付けが容易でありながら、安定した開閉動作を行うことのできる、扉装置を提供できる。
また、パイプ材やアングル材あるいはネット材を組み合わせて簡単に製造できるので、製作コストも安く抑えることができる。
しかも、足場の開口部を十分に遮ることができるから、侵入しようとする者に対する心理的抑制力も大きい。
【００３０】
更に、アーム部が長さ調整自在、あるいは基端において揺動自在に軸支されているので、種々の開口部幅の足場側面に対応でき、特に請求項２に係る発明によれば、側枠部と建地材との間の間隔が極端に小さな箇所であってもアーム部による支持固定を確実に行うことができる。
【００３１】
また、請求項３に係る発明によれば、ロック機構によって扉の閉状態を維持できるので、安全性の向上と侵入防止により一層効果的な扉装置を提供できる。
【図面の簡単な説明】
【図１】本発明の一実施例に係る装置の正面図。
【図２】図１の装置のフック部材の断面図。
【図３】図１の装置のアーム部を一部断面で示す平面図。
【図４】図３のアーム部の長さ調整部の断面図。
【図５】図１の装置のロック機構の正面図。
【図６】図５のロック機構の断面図。
【図７】ロック機構の異なる例を示す正面図。
【図８】本発明の他の実施例に係る装置の正面図。
【図９】図８の装置の異なる使用状態を示す正面図。
【図１０】図８と９の装置のアーム部の平面図。
【図１１】図１０のアーム部の使用状態を示す説明図。
【符号の説明】
１（１Ｌ，１Ｒ）    門型建枠の左右の建地材
２                  横架材
３                  開口部
４                  扉本体
４１，４２          扉本体の上下辺部
４３，４４          扉本体の左右両側辺部
５                  枠体
５１                枠体の上枠部
５２，５３          枠体の左右両側枠部
６                  ヒンジ部材
７                  フック部材
７１                湾曲部
７２                ネジ孔
７３                止めボルト
７４                止めナット
８                  アーム部材
８１                外筒体
８２                摺動体
８３                クランプ金具
８４                長孔
８５                ボルト通孔
９                  ロック機構
９１                ロック片
９２                係合溝
９３，９４          取手
９５                スライド孔
９６                受け溝
１０                ストッパ片
【図１】
0004629212.tif 000002
【図２】
0004629212.tif 000003
【図３】
0004629212.tif 000004
【図４】
0004629212.tif 000005
【図５】
0004629212.tif 000006
【図６】
0004629212.tif 000007
【図７】
0004629212.tif 000008
【図８】
0004629212.tif 000009
【図９】
0004629212.tif 000010
【図１０】
0004629212.tif 000011
【図１１】
0004629212.tif 000012